(57)【要約】【課題】部品点数が少なく施工が容易であるとともに強度が大きく、長尺の部品を使用する必要がなく、作業性、運搬や保管の容易な屋根上パネルの固定具を提供する。【解決手段】周縁部に係止バー５ａが横設された屋根上パネル５を敷設材上に設置するための固定具１であって、敷設材上に固定され野地板７と平行な摺動板２ａを有する固定部材２と、前記固定部材２の摺動板２ａ上で野地板７の傾斜方向に摺動可能であり、屋根上パネル５の周縁部に横設された前記係止バー５ａと係合可能な係合爪３ａ３を有する調節部材３とからなる屋根上パネルの固定具１を提供する。【選択図】図１
2010024668.tif 000002
【特許請求の範囲】
【請求項１】
周縁部に係止バーが横設された屋根上パネルを敷設材上に設置するための固定具であって、固定部材と調節部材とからなり、
前記固定部材は摺動板を有し、
前記調節部材は前記固定部材の摺動板上を摺動可能であり、前記屋根上パネルの係止バーと係合可能な係合手段を有するとともに、前記調節部材を前記摺動板上に挟着するための緊締手段を有することを特徴とする屋根上パネルの固定具。
【請求項２】
固定部材は、固定孔が設けられた下部板と、前記下部板から立設され上端にパネル載置部が設けられた側板と、側板の内面から横設され、調節部材の摺動方向に長い摺動板を有し、
前記調節部材は、前記固定部材の摺動板上で摺動可能であり、前記屋根上パネルの係止バーと係合可能な係合手段を有することを特徴とする請求項１に記載の屋根上パネルの固定具。
【請求項３】
固定部材の摺動板に調節部材の摺動方向に長い直線状の長溝が設けられると共に、前記調節部材は、摺動片と固定板と緊締手段からなり、
前記摺動片は、座板と、この座板から立設され上端に係合爪が係合手段として設けられ該調節部材の摺動方向に対して垂直方向の接続板を有し、
前記固定板は、前記該摺動片の座板の下に前記固定部材の摺動板を介して配置され、
前記緊締手段は、摺動片の座板と固定板の間に前記固定部材の摺動板を挟着することを特徴とする請求項２に記載の屋根上パネルの固定具。
【請求項４】
固定部材の摺動板に調節部材の摺動方向に長い直線状の長溝が設けられると共に、調節部材は、摺動片と固定板と緊締手段からなり、
前記摺動片は、座板と、この座板から立設され外周にねじ山が刻設された接続棒を有し、該接続棒には屋根上パネルの係止バーを上から押圧する押圧手段が係合手段として螺着され、
前記固定板は、前記該摺動片の座板の下に前記固定部材の摺動板を介して配置され、
前記緊締手段は、摺動片の座板と固定板の間に前記固定部材の摺動板を挟着することを特徴とする請求項２に記載の屋根上パネルの固定具。
【請求項５】
固定部材がアルミニウム製の押し出し成形品であることを特徴とする請求項１乃至請求項４のいずれかに記載の屋根上パネルの固定具。
【請求項６】
固定部材の長さが５０ｃｍ以下であることを特徴とする請求項１乃至請求項５のいずれかに記載の屋根上パネルの固定具。
【請求項７】
請求項１乃至請求項６のいずれか１項に記載の固定具と、勾配調整部材とからなり、
前記勾配調整部材は前記固定具を野地板と平行にする固定具支持部を有することを特徴とする屋根上パネルの固定具。
【請求項８】
請求項１乃至請求項６のいずれかに記載の固定具の固定部材を屋根上パネルの設置位置の下辺付近及び上辺付近の敷設材上にそれぞれ少なくとも２個固着し、該固定部材上に屋根上パネルを仮置きし、調節部材を前記固定部材の上で摺動させて係合手段で屋根上パネルを固定する位置に微調節し、前記固定部材上に前記調節部材を固定することを特徴とする屋根上パネルの固定方法。
【請求項９】
請求項７に記載の勾配調整部材を屋根上パネルの設置位置の下辺付近及び上辺付近の敷設材上にそれぞれ少なくとも２個固着し、該勾配調整部材の固定具支持部上に請求項７に記載の固定具の固定部材を固着し、該固定部材上に屋根上パネルを仮置きし、調節部材を前記固定部材の上で摺動させて係合手段で屋根上パネルを固定する位置に微調節し、前記固定部材上に前記調節部材を固定することを特徴とする屋根上パネルの固定方法。
【発明の詳細な説明】
【技術分野】
【０００１】
本発明は太陽電池モジュール等の屋根上パネルを屋根に固定するための固定具及び固定方法に関し、更に詳しくは、部品点数が少なく施工が容易であるとともに強度が強く、また、長尺の部品を使用する必要がないので、施工や運搬が容易な屋根上パネルの固定具及び固定方法に関するものである。
【背景技術】
【０００２】
近年、エネルギーコストの上昇により様々な代替エネルギーが求められているが、そのうちの１つとして、太陽エネルギーの利用が行われている。具体的には太陽光を直接電気に変換する太陽電池モジュール、太陽熱により水を温めて風呂の湯等として用いる太陽熱温水器、同じく空気を温めて暖房等に用いる空気集熱器等があるが、これらは通常パネル状のユニットとされて屋根の上に設置される（このパネル状のユニットを総称して屋根上パネルと称する）。
【０００３】
このような屋根上パネルを瓦やスレート等の敷設材が敷設された屋根の上に設置する方法としては、従来、例えば長い縦桟の上に長い横桟を固着し、さらにその上に屋根上パネルを設置する取り付け構造（例えば特許文献１）や、屋根の斜面方向に伸びる取付金具の上長い横桟を固着し、さらにその上に屋根上パネルを設置する支持装置（例えば特許文献２）が開示されている。
【０００４】
しかしながら、上記のような長尺の縦桟や横桟を使用する方法や構造では、部品点数が多くなりすぎ、組み立て作業が煩雑になるばかりでなく、部品の継ぎ目部分で壊れやすくなるため強度が低く耐久性が不十分となり、また、コスト高とならざるを得ない。また、縦桟と横桟があるため、配線ケーブルの配置が困難となるばかりでなく、屋根上の歩行も困難で、作業性が低下するという問題がある。更に、部品点数が多く且つ長尺物を使用するため、施工が困難であり、また、資材管理や、取り扱い性、保管や運搬も容易ではない。特に、これらの構造では縦桟の上に配された横桟の上に屋根上パネルが設置されるため、屋根と屋根上パネルとの隙間が大きくなり、この隙間に風が入り込むことがあるため、強風時には屋根上パネルが吹き飛ぶ恐れがあり、風の強い地方では使用が困難である。
【特許文献１】特開２００３−３４３０５８号公報（図１）
【特許文献２】特開２００６−３２２２３３号公報（図４）
【発明の開示】
【発明が解決しようとする課題】
【０００５】
本発明は、かかる実情に鑑み、上記従来技術の問題点を解決し、部品点数が少なく、長尺の部品を使用しないため、施工性が向上するとともに、部品の継ぎ目部分が少なくなるので強度が大きく耐久性が向上し、また、配線ケーブルの配置や屋根上の歩行も容易であり、更に、長尺の部品を使用する必要がないので施工が容易で、取り扱い性が良好で保管や運搬の容易な屋根上パネルの固定具及び該固定具を用いた屋根上パネルの固定方法を提供することを課題とする。
【課題を解決するための手段】
【０００６】
上記課題を解決するための請求項１に係る本発明は、周縁部に係止バーが横設された屋根上パネルを敷設材上に設置するための固定具であって、固定部材と調節部材とからなり、
前記固定部材は摺動板を有し、
前記調節部材は前記固定部材の摺動板上を摺動可能であり、前記屋根上パネルの係止バーと係合可能な係合手段を有するとともに、前記調節部材を前記摺動板上に挟着するための緊締手段を有することを特徴とする屋根上パネルの固定具を内容とする。
【０００７】
請求項２に係る発明は、固定部材は、固定孔が設けられた下部板と、前記下部板から立設され上端にパネル載置部が設けられた側板と、側板の内面から横設され、調節部材の摺動方向に長い摺動板を有し、
前記調節部材は、前記固定部材の摺動板上で摺動可能であり、前記屋根上パネルの係止バーと係合可能な係合手段を有することを特徴とする請求項１に記載の屋根上パネルの固定具を内容とする。
【０００８】
請求項３に係る発明は、固定部材の摺動板に調節部材の摺動方向に長い直線状の長溝が設けられると共に、前記調節部材は、摺動片と固定板と緊締手段からなり、
前記摺動片は、座板と、この座板から立設され上端に係合爪が係合手段として設けられ該調節部材の摺動方向に対して垂直方向の接続板を有し、
前記固定板は、前記該摺動片の座板の下に前記固定部材の摺動板を介して配置され、
前記緊締手段は、摺動片の座板と固定板の間に前記固定部材の摺動板を挟着することを特徴とする請求項２に記載の屋根上パネルの固定具を内容とする。
【０００９】
請求項４に係る発明は、固定部材の摺動板に調節部材の摺動方向に長い直線状の長溝が設けられると共に、前記調節部材は、摺動片と固定板と緊締手段からなり、
前記摺動片は、座板と、この座板から立設され外周にねじ山が刻設された接続棒を有し、該接続棒には屋根上パネルの係止バーを上から押圧する押圧手段が係合手段として螺着され、
前記固定板は、前記該摺動片の座板の下に前記固定部材の摺動板を介して配置され、
前記緊締手段は、摺動片の座板と固定板の間に前記固定部材の摺動板を挟着することを特徴とする請求項２に記載の屋根上パネルの固定具を内容とする。
【００１０】
請求項５に係る発明は、固定部材がアルミニウム製の押し出し成形品であることを特徴とする請求項１乃至請求項４のいずれかに記載の屋根上パネルの固定具を内容とする。
【００１１】
請求項６に係る発明は、固定部材の長さが５０ｃｍ以下であることを特徴とする請求項１乃至請求項５のいずれかに記載の屋根上パネルの固定具を内容とする。
【００１２】
請求項７に係る発明は、請求項１乃至請求項６のいずれか１項に記載の固定具と、勾配調整部材とからなり、
前記勾配調整部材は前記固定具を野地板と平行にする固定具支持部を有することを特徴とする屋根上パネルの固定具を内容とする。
【００１３】
請求項８に係る発明は、請求項１乃至請求項６のいずれかに記載の固定具の固定部材を屋根上パネルの設置位置の下辺付近及び上辺付近にそれぞれ少なくとも２個固着し、該固定部材上に屋根上パネルを仮置きし、調節部材を前記固定部材の上で摺動させて係合手段で屋根上パネルを固定する位置に微調節し、前記固定部材上に前記調節部材を固定することを特徴とする屋根上パネルの固定方法を内容とする。
【００１４】
請求項９に係る発明は、請求項７に記載の勾配調整部材を屋根上パネルの設置位置の下辺付近及び上辺付近の敷設材上にそれぞれ少なくとも２個固着し、該勾配調整部材の固定具支持部上に請求項７に記載の固定具の固定部材を固着し、該固定部材上に屋根上パネルを仮置きし、調節部材を前記固定部材の上で摺動させて係合手段で屋根上パネルを固定する位置に微調節し、前記固定部材上に前記調節部材を固定することを特徴とする屋根上パネルの固定方法を内容とする。
【発明の効果】
【００１５】
本発明の屋根上パネルの固定具は、敷設材上に固定される固定部材と、前記固定部材の摺動板上で摺動可能な調節部材とからなるため、長尺の縦桟や横桟を用いる必要がなく、部品点数も少ないので施工性が飛躍的に高められるとともに、部品の継ぎ目が少ないので強度が大きく耐久性が向上する。また、縦桟と横桟とを使用する必要がないため、配線ケーブルの配置も容易であり、更に、屋根上の歩行も容易で作業性が向上する。更にまた、部品点数が少ないので資材管理もし易く、かつ長尺の部材を使用しないので、取り扱い性が良好で、保存や運搬も容易である。更にまた、固定具のパネル載置部に屋根上パネルが設置されるため、屋根と屋根上パネルとの隙間が小さく、風が入り込むといったトラブルも抑えられる。
【００１６】
請求項２乃至請求項４に係る発明の屋根上パネルの固定具は、固定部材の摺動板に調節部材の摺動方向に長い直線状の長溝が設けられるとともに、摺動片の座板と固定板の間に固定部材の摺動板を挟んだ状態で調節部材を摺動板上の所望の位置に移動させ、緊締手段で挟着するように構成されているため、調節部材の位置、即ち屋根上パネルを固定する位置の調節が極めて容易である。
また、請求項３に係る発明の屋根上パネルの固定具では、屋根上パネルの係止バーとの係合手段が係合爪によりなされるので、ワンタッチで簡単に屋根上パネルを固定することができる。
また、請求項４に係る発明の屋根上パネルの固定具では、屋根上パネルの係止バーとの係合手段が接続棒上の押圧手段によりなされるので、押圧手段の高さを自由に調節できるため、例えば、規格が異なり係止バーの高さが異なる屋根上パネルでも一種類の固定具で自在に対応でき、汎用性が高い。
【００１７】
請求項５に係る発明の屋根上パネルの固定具は、固定部材をアルミニウム製の押し出し成形品とすることにより、製造が容易で寸法精度が高く、また錆が発生しないので長期に亘って強度を維持し、耐久性に優れている。
【００１８】
請求項６に係る発明の屋根上パネルの固定具は、固定部材の長さを５０ｃｍ以下とすることにより、短いので施工性が良好で、また取り扱い性が良好で、保管や運搬を効率的に行うことができる。
【００１９】
請求項７に係る発明の屋根上パネルの固定具は、上記固定具と、該固定具の固定部材を野地板と平行にする固定具支持部を有する勾配調整部材とからなり、該勾配調整部材により、敷設材の形状と関わりなく野地板から一定の距離に固定部材が配置され、屋根上パネルを野地板と平行に配置することができる。
【００２０】
請求項８に係る発明の屋根上パネルの固定方法は、固定具の固定部材を屋根上パネルの設置位置の下辺付近及び上辺付近の敷設材上にそれぞれ少なくとも２個固着してから、固定部材上に屋根上パネルを仮置きし、その後調節部材を固定部材の上で摺動させて係合手段で屋根上パネルを固定する位置に微調節してから固定部材上に調節部材を固定するので、施工が容易である上、固定の強度も高い。
【００２１】
請求項９に係る発明の屋根上パネルの固定方法は、勾配調整手段を用いるので敷設材の形状にか関わりなく野地板から平行に固定部材が配置され、屋根上パネルを野地板と平行に配置することができる。
【発明を実施するための最良の形態】
【００２２】
本発明の屋根上パネルの固定具は、周縁部に係止バーが横設された屋根上パネルを敷設材上に設置するための固定具であって、固定部材と調節部材とからなり、
前記固定部材は摺動板を有し、
前記調節部材は前記固定部材の摺動板上を摺動可能であり、前記屋根上パネルの係止バーと係合可能な係合手段を有するとともに、前記調節部材を前記摺動板上に挟着するための緊締手段を有することを特徴とする。
好ましくは、固定部材は、固定孔が設けられた下部板と、前記下部板から立設され上端にパネル載置部が設けられた側板と、側板の内面から横設され、調節部材の摺動方向に長い摺動板を有し、
前記調節部材は、前記固定部材の摺動板上で摺動可能であり、前記屋根上パネルの係止バーと係合可能な係合手段を有することを特徴とする。
【００２３】
このような屋根上パネルの固定具の好ましい例として、固定部材の摺動板に調節部材の摺動方向に長い直線状の長溝が設けられると共に、前記調節部材は、摺動片と固定板と緊締手段からなり、
前記摺動片は、座板と、この座板から立設され上端に係合爪が係合手段として設けられ該調節部材の摺動方向に対して垂直方向の接続板を有し、
前記固定板は、前記該摺動片の座板の下に前記固定部材の摺動板を介して配置され、
前記緊締手段は、摺動片の座板と固定板の間に前記固定部材の摺動板を挟着する屋根上パネルの固定具が挙げられる。
即ち、本例の屋根上パネルの固定具１は、図１乃至図３に示すように、摺動板２ａを有する固定部材２と、前記固定部材２の摺動板２ａ上で摺動可能であり、係合爪３ａ３を有し、緊締手段３ｃを有する調節部材３とからなる。
【００２４】
固定部材２は、図１、図２に示すとおり、矩形の下部板２ｂと、この下部板２ｂの長辺側の端縁から立設された側板２ｃと、２枚の側板２ｃの内壁から対向するように横設された摺動板２ａと、該摺動板２ａの下にこの摺動板２ａと同様の態様で設けられた仮置き板２ｄからなる。本例では前記側板２ｃの上端がパネル載置部２ｃＰとされ、対向する摺動板２ａの間の部分が長溝２ａＬとされている。下部材２ｂには、固定部材２を敷設材固着するための固定孔２ｂＨが設けられている。この固定孔２ｂＨは少なくとも２個（本例では８個）設け、固着する位置をずらせて調整できるようにすることが好ましい。
【００２５】
調節部材３は、図１、図３に示すとおり、摺動片３ａと固定板３ｂと緊締手段３ｃからなる。摺動片３ａは、座板３ａ１と、この座板３ａ１の後端縁から立設された該調節部材の摺動方向と垂直方向の接続板３ａ２からなり、接続板３ａ２の上端には屋根上パネルの係止バーと係合可能な係合爪３ａ３が設けられている。なお接続板３ａ２の上端の両側に設けられた係合爪３ａ３は前側又は後側に配置された屋根上パネルの係止バーと係合し、中央の係合爪３ａ３は後側又は前側に配置された屋根上パネルの係止バーと係合する。
【００２６】
固定板３ｂは、上記摺動片３ａの座板３ａ１と共に前記固定部材２の摺動板２ａを挟持するためのもので、本例においては、摺動板２ａの下方に位置するように配置されているが、座板３ａ１と固定板３ｂとで摺動板２ａを挟持できればよいので、固定板３ｂのほうを上方に位置するように配置してもよい。
緊締手段３ｃは、摺動片３ａの座板３ａ１と固定板３ｂの間に固定部材２の摺動板２ａを挟着して、調節部材３を摺動板２ａ上で固定するためのもので、通常はボルトとナットが好適に使用されるが、固定板３ｂの厚さを厚くしてボルトに合うネジを切るか、又は、固定板３ｂとナットとを一体化し、ナット兼用固定板３ｂ′としても良い。ナット兼用固定板３ｂ′を使用した場合、ナット兼用固定板３ｂ′が供廻りすることもないので、緊締手段３ｃによる緊締作業が容易である。また、この場合は、ナットが不要となるので部品点数を一つ減らせる効果もある。
【００２７】
調節部材３は、固定部材２の対向する摺動板２ａの間の長溝２ａＬに挿通されるため、緊締手段３ｃにより締め込む前は、図４に示すように、摺動板２ａの上で長溝２ａＬに沿って自在に摺動可能である。従って、本例の固定具１で屋根上パネルを固定する際には、固定部材２の位置合わせは固定部材２の上に屋根上パネルの縁部が乗る程度の精度で十分であり、その後に調節部材３を摺動させて、係合爪３ａ３と屋根上パネルの係止バーの位置を調節して係合させればよい。なお、この調節作業において、固定板３ｂを仮置き板２ｄの上に載置することにより、固定板３ｂと下部材２ｂとの間に手を入れて作業する（例えば、ナットを締める）に十分な隙間が形成されるので、緊締手段３ｃによる緊締作業が容易である。ナット兼用固定板３ｂ′の場合も同様である。
【００２８】
固定部材１のパネル載置部２ｃＰは、図５に示すように、側板２ｃの上端を略水平に内側（図（ａ））、外側（図（ｂ））、又は両側（図（ｃ））に延設してもよい。このようにすれば、パネル載置部２ｃＰの屋根上パネルとの接触面積が大きくなるので屋根上パネルを安定的に載置、固定できるばかりでなく、また、固定部材２を補強する効果も得ることができる。
【００２９】
図６は固定部材の他の例を示すもので、固定部材２は、１枚のアルミニウム板等の金属板を折り曲げ加工するとともに、所定の孔を設けて長溝２ａＬ及び固定孔２ｂＨとしたものである。
具体的には、アルミニウム板等の金属板の中央部に長孔を開けて長溝２ａＬとし、摺動板２ａとなる部分の両横を一旦上向きに折り曲げてから逆Ｊ字状に折り曲げて、パネル載置部２ｃＰ及び側板２ｃを形成し、側板２ｃの下端を外側に折り曲げて下部板２ｂを形成し、両端部に設けられた下部板２ｂの中央付近にそれぞれ等間隔に８個の固定孔２ｂＨが穿設されている。
【００３０】
図７は固定部材の更に他の例を示すもので、固定部材２は、上記例と同様、１枚のアルミニウム板等の金属板を折り曲げ加工するとともに、所定の孔を開けて長溝２ａＬ及び固定孔２ｂＨとしたものである。
具体的には、アルミニウム板等の金属板の中央部に８個の固定孔２ｂＨを等間隔に穿設し、下部板２ｂとなる部分の両横を上向きに折り曲げて側板２ｃを形成し、側板２ｃの上端からＺ字状に折り曲げてパネル載置部２ｃＰ及び摺動板２ａを形成し、対向する２枚の摺動板の間隙の部分を長溝２ａＬとしている。
【００３１】
本発明の屋根上パネルの固定具の好ましい他の例として、固定部材の摺動板に調節部材の摺動方向に長い直線状の長溝が設けられると共に、調節部材は、摺動片と固定板と緊締手段からなり、
前記摺動片は、座板と、この座板から立設され外周にねじ山が刻設された接続棒を有し、該接続棒には屋根上パネルの係止バーを上から押圧する押圧手段が係合手段として螺着され、
前記固定板は、前記該摺動片の座板の下に前記固定部材の摺動板を介して配置され、
前記緊締手段は、摺動片の座板と固定板の間に前記固定部材の摺動板を挟着する屋根上パネルの固定具が挙げられる。
即ち、調節部材として、上記した係合爪の代わりに屋根上パネルの係止バーを上から押圧する押圧手段を用いた例で、図８に示すように、調節部材３は、上記した調節部材３の接続板３ａ２に代えて外周にねじ山が刻設された接続棒３ａ４が設けられるとともに、係合爪３ａ３に代えて接続棒に螺着される押圧手段３ａ５が設けられている。
【００３２】
本発明の固定具は、複数個（通常は４個）で１枚の屋根上パネル板を支持固定するので、これらの固定具は同一平面上にある必要があるが、通常、屋根の敷設材（瓦など）はその前端を前側の敷設材の上に重ねて配置するため、通常、その勾配は野地板の勾配とは異なる。そこで、本発明の固定具は、野地板と平行にするための勾配調整部材を介して敷設材に固定することが好ましい。
【００３３】
このような勾配調整部材の形状、構造は特に限定されず、上方の固定具支持部が野地板と平行であり、下方に敷設材固定部（敷設材への固定部）を有する形状、構造であればよい。
勾配調整部材の好ましい例としては、図９に示したような、波形状に屈曲させたアルミニウム板の一面側を固定具支持部４ａとし、他面側を敷設材固定部４ｂとした勾配調整部材４が好適である。固定具支持部４ａと敷設材固定部４ｂは所定の角度をつけて設けられており、その角度は野地板と敷設材との角度の差と略同じである。このような勾配調整部材４を敷設材上に配置することにより、固定具支持部４ａ上に設けられた固定具を野地板と平行にでき、その結果、該固定具上に配置された屋根上パネルを野地板と平行に配置することができる。
【００３４】
勾配調整部材４の固定具支持部４ａには固定具、具体的には固定具の固定部材２を固定するための孔が２個設けられており、この孔の間隔は、例えば、図１、図２に示した固定具１の固定部材２の固定孔２ｂＨの間隔の丁度３倍である。従って、図１０に示すとおり、下部板２ｂの固定孔２ｂＨ２個飛ばしにすることにより、丁度上端面の孔が下部板２ｂの固定孔２ｂＨと連通し、２箇所でナット締めできるようになる。なお、本例においては、下部板２ｂには８個の固定孔２ｂＨが等間隔に列設されているため、合計５個所において固定部材２と勾配調整部材４を固定でき、固定部材２の位置を変えることができる。
尚、勾配調整部材は、予め固定具（の固定部材）の下面に固着したり、一体形成したりすることもでき、また、敷設材の上面に固着したり、一体成形することも可能である。
【００３５】
本発明における固定部材２、調節部材３、勾配調整部材４の材質は特に限定されず、アルミニウム、鉄（防錆処理した）、銅、ステンレス等の金属や、ＡＢＳ（アクリロニトリル- ブタジエン- スチレン共重合樹脂）、ＡＡＳ樹脂（アクリロニトリル／アクリルゴム／スチレン）、ＡＥＳ樹脂（アクリロニトリル／エチレンプロピレンゴム／スチレン）、ＡＳ樹脂（アクリロニトリル／スチレン）、ＰＳ樹脂（ポリスチレン樹脂）、ＰＭＭＡ樹脂、ＰＶＣ樹脂、ＭＳ樹脂（メチルメタクリレート／スチレン樹脂）、ＰＰ（ポリプロピレン樹脂）、ＰＥ（ポリエチレン樹脂）、ＰＢＴ（ポリブチレンテレフタレート樹脂）およびＰＣ樹脂（ポリカーボネート樹脂）等の樹脂等が使用可能であるが、屋根上パネル５を好適に支持し固定できる剛性を有する点で金属が好ましく、軽量で耐腐食性が高いアルミニウムが最も好ましい。固定部材２及び勾配調整部材４は、アルミニウムの押出成形品が好ましい。
【００３６】
固定部材の長さも特に限定されないが、取り扱い性や作業性、更には配線ケーブルの設置の容易性、屋根上の歩行の容易性からは、５０ｃｍ以下程度が好ましい。また、例えば、図２で示したように、２個以上（図２では８個）の固定孔を等間隔に列設して固定位置を調節可能とすれば、２０ｃｍ以下程度にまで小さくすることも可能である。
【００３７】
次に、上記した本発明の屋根上パネル固定具を使用して屋根上パネルを固定するには、例えば、敷設材の上面がフラットで勾配調整部材を使用する必要がない場合は、固定具の固定部材を屋根上パネルの設置位置の下辺付近及び上辺付近の敷設材上にそれぞれ少なくとも２個固着し、該固定部材上に屋根上パネルを仮置きし、調節部材を前記固定部材の上で摺動させて係合爪又は押圧手段で屋根上パネルを固定する位置に微調節し、前記固定部材上に前記調節部材を固定する方法が好適である。
【００３８】
また、敷設材の上面がフラットでなく、勾配調整部材を用いる必要がある場合は、屋根上パネルの設置位置の下辺付近及び上辺付近の敷設材上にそれぞれ少なくとも２個固着し、該勾配調整部材の固定具支持部上に固定具の固定部材を固着し、該固定部材上に屋根上パネルを仮置きし、調節部材を前記固定部材の上で摺動させて係合爪又は押圧手段で屋根上パネルを固定する位置に微調節し、前記固定部材上に前記調節部材を固定する方法が好適である。
【００３９】
本発明において、屋根上パネルとしては特に制限されず、例えば、太陽電池モジュール（パネル）、太陽熱温水器、空気集熱器等が挙げられる。
【００４０】
図１〜図３に示した本発明の固定具で屋根上パネルを固定する方法について説明すると、図１１に示すように、まず、屋根上パネル５の上端縁及び下端縁が配置される位置に固定具１の固定部材２を敷設材６上（又は野地板７上）に固着（図１１では、敷設材６上に固着）する。
次に、固着された固定部材２の上に屋根上パネル５を仮置きし、その屋根上パネル５に合わせて調節部材３を摺動させ、屋根上パネル５を固定する位置で緊締手段３ｃを緊締して調節部材３を固定する。
最後に、図１２に示すように、固定された調節部材３の係合爪３ａ３に屋根上パネル５の係止バー５ａを係合して屋根上パネル５を固定する。
【００４１】
屋根上パネル５の固定に際し、固定具１の数は特に限定されないが、図１１に示したように、屋根上パネル５の上端縁及び下端縁について、少なくとも左右端付近に１個づつ、計４個の固定具１で１枚の屋根上パネル５を固定するのが好ましい。なお、固定具１は２枚の屋根上パネル５の境界に配置することにより、上下２枚の屋根上パネルを固定することができる。
【００４２】
次に、図８に記載された、接続棒と押圧手段とを備えた固定具を用い、更に図９に示した勾配調整部材を用いて屋根上パネルを固定する方法について説明すると、図１３に示すように、上記した固定方法において、まず勾配調整部材４を敷設材６上（又は野地板７上）に固着（図１３では、敷設材６上に固着）し、該勾配調整部材４の上に固定具１を固着する他は、上記固定方法と同様である。尚、一般に、野地板７上には、アスファルトルーフィングやゴムアスルーフィング等の防水シートが敷設されるが、図１３では省略されている。
しかし、本例の場合は、押圧手段３ａ５で屋根上パネルの係止バー５ａを上から押圧することにより屋根上パネル５を固定するが、押圧手段３ａ５は接続棒３ａ４を上下に移動できるので、係止バー５ａの高さに関わらず１種類の調節部材３で数種の屋根上パネル５を固定できる。
例えば、図１４に示したように、押圧手段３ａ５が高い状態で係止バー５ａを押圧することもできるし、また、係止バー５ａの位置が低い屋根上パネル５を固定する場合は、図１５に示すように、押圧手段３ａ５を下方に移動させ係止バー５ａを押圧することも可能である。尚、図１５においては、係止バー５ａと押圧手段３ａ５の間に補助金具３ａ６を介設して押圧手段３ａ５と係止バー５ａの係合を強固にした例を示す。
【産業上の利用可能性】
【００４３】
上記したとおり、本発明の屋根上パネルの固定具は、部品点数が少なく、長尺物を使用する必要がないので施工が容易であるとともに強度が大きく耐久性に優れ、また、長尺の部品を使用する必要がないので、施工性や保管や運搬が容易であり、極めて有用性の高いものである。
【図面の簡単な説明】
【００４４】
【図１】本発明の屋根上パネル固定具の分解斜視図である。
【図２】（ａ）は図１における固定部材の平面図であり、（ｂ）は側面図であり、（ｃ）は正面図である。
【図３】（ａ）は図１における調節部材の平面図であり、（ｂ）はその正面図であり、（ｃ）はその側面図である。
【図４】固定部材に調節部材を固定した状態を示す概略断面図である。
【図５】（ａ）、（ｂ）、（ｃ）は他の固定部材を示す正面図である。
【図６】更に他の固定部材を示す斜視図である。
【図７】更に別の固定部材を示す斜視図である。
【図８】（ａ）は他の調節部材を示す平面図であり、（ｂ）はその正面図、（ｃ）はその側面図である。
【図９】（ａ）は勾配調整部材の側面図であり、（ｂ）はその平面図である。
【図１０】勾配調整部材に固定部材を固定した状態を示す概略断面図である。
【図１１】本発明の屋根上パネル固定具を用いて屋根上パネルを設置した状態を示す概略説明図である。
【図１２】図１１における屋根上パネルの係止バーと調節部材の係合爪の係合状態を示す概略説明図である。
【図１３】屋根上パネル固定具及び勾配調整部材を用いて屋根上パネルを設置した状態を示す概略断面図である。
【図１４】屋根上パネルの係止バーを図８の調節部材で押圧した状態を示す概略説明図である。
【図１５】別の屋根上パネルの係止バーを図８の調節部材で押圧した状態を示す概略説明図である。
【符号の説明】
【００４５】
１  屋根上パネルの固定具
２  固定部材
２ａ  摺動板
２ａＬ  長溝
２ｂ  下部板
２ｂＨ  固定孔
２ｃ  側板
２ｃＰ  パネル載置部
２ｄ  仮置き板
３  調節部材
３ａ  摺動片
３ａ１  座板
３ａ２  接続板
３ａ３  係合爪
３ａ４  接続棒
３ａ５  押圧手段
３ａ６  補助金具
３ｂ  固定板
３ｂ′  ナット兼用固定板
３ｃ  緊締手段
４  勾配調整部材
４ａ  固定具支持部
４ｂ  敷設材固定部
５  屋根上パネル
５ａ  係止バー
６  敷設材
６ａ  勾配調整手段
７  野地板
【図１】
2010024668.tif 000003
【図２】
2010024668.tif 000004
【図３】
2010024668.tif 000005
【図４】
2010024668.tif 000006
【図５】
2010024668.tif 000007
【図６】
2010024668.tif 000008
【図７】
2010024668.tif 000009
【図８】
2010024668.tif 000010
【図９】
2010024668.tif 000011
【図１０】
2010024668.tif 000012
【図１１】
2010024668.tif 000013
【図１２】
2010024668.tif 000014
【図１３】
2010024668.tif 000015
【図１４】
2010024668.tif 000016
【図１５】
2010024668.tif 000017